(57)【特許請求の範囲】
【請求項１】
上端の環状部と、下端の浅い受皿状の底部と、これら環状部と底部とを繋ぐ柱状部とからなり、前記柱状部の内面には上下方向の中央近傍部のみにおいて上下方向に数ｃｍ程度の長さ範囲で数ｍｍピッチおきに凹凸部が形成されている合成樹脂製の骨格部材と、骨格部材の上端の環状部と下端の底部との間の周囲を包むように骨格部材に装着されるブランクシートとにより作られるカップ状容器であって、カップ状容器を上下から圧縮する方向に力を掛けることにより、骨格部材の柱状部は中央部のみの凹凸部の存在により途中で内側に折れ曲がり、ブランクシートで覆われているカップ状容器は小さく押し潰されることを特徴とするカップ状容器。
【請求項２】
上端の環状部と、下端の浅い受皿状の底部と、これら環状部と底部とを繋ぐ柱状部とからなる合成樹脂製の骨格部材と、骨格部材の上端の環状部と下端の底部との間の周囲を包むように骨格部材に装着されるブランクシートとにより作られてなり、柱状部は正面から見て中央部の上下両端の両側および中央両側において幅が狭い窪み部が形成されているカップ状容器であって、カップ状容器を上下から圧縮する方向に力を掛けることにより、骨格部材の柱状部は中央近傍部における幅が狭い窪み部の存在により途中で内側に折れ曲がり、ブランクシートで覆われているカップ状容器は小さく押し潰されることを特徴とするカップ状容器。
【請求項３】
上端の環状部と、下端の浅い受皿状の底部と、これら環状部と底部とを繋ぐ柱状部とからなる合成樹脂製の骨格部材と、骨格部材の上端の環状部と下端の底部との間の周囲を包むように骨格部材に装着されるブランクシートとにより作られてなり、柱状部は上下方向の中央近傍部において上下方向に数ｃｍ程度の長さ範囲で厚みの薄い部分を１乃至複数箇所備えているカップ状容器であって、カップ状容器を上下から圧縮する方向に力を掛けることにより、骨格部材の柱状部は厚みの薄い部分の存在により途中で内側に折れ曲がり、ブランクシートで覆われているカップ状容器は小さく押し潰されることを特徴とするカップ状容器。
【発明の詳細な説明】
【技術分野】
【０００１】
本発明は、例えばジュースなどの飲料用液体あるいは菓子類あるいは工業用材料などを収納するカップ状容器に関するものである。
【背景技術】
【０００２】
従来のこの種カップ状容器としては、例えば特許文献１に開示されているように、合成樹脂製の骨格部材にブランクシートを巻き付けて接合させてなるものが知られている。この特許文献１に開示されているカップ状容器に使用される骨格部材は底部と、上縁部と、これら底部と上縁部とを繋ぐ柱状部とを備え、この骨格部材にブランクシートを巻き付けてカップ状容器を構成している。
【特許文献１】特開平９−２０７９３６号公報
【発明の開示】
【発明が解決しようとする課題】
【０００３】
上記特許文献１に開示されているカップ状容器に使用される骨格部材は底部と、上縁部と、これら底部と上縁部とを繋ぐ柱状部とからなり、この骨格部材にブランクシートを巻き付けて作られたカップ状容器を使用後において捨てるときはそのままの形で捨てているのが現状である。
【０００４】
つまり、カップ状容器に使用される骨格部材の柱状部は全体に亘って同じ厚みに作られており、カップ状容器を上下方向に手で圧縮させることもできず、嵩張った状態で捨てなければならないという問題があった。
【０００５】
本発明の目的は、このような課題を解決するものであり、使用後において捨てる際、手で小さく押し潰すことができるカップ状容器を提供することにある。
【課題を解決するための手段】
【０００６】
本発明の請求項１に記載のカップ状容器は、上端の環状部と、下端の浅い受皿状の底部と、これら環状部と底部とを繋ぐ柱状部とからなり、前記柱状部の内面には上下方向の中央近傍部のみにおいて上下方向に数ｃｍ程度の長さ範囲で数ｍｍピッチおきに凹凸部が形成されている合成樹脂製の骨格部材と、骨格部材の上端の環状部と下端の底部との間の周囲を包むように骨格部材に装着されるブランクシートとにより作られるカップ状容器であって、カップ状容器を上下から圧縮する方向に力を掛けることにより、骨格部材の柱状部は中央部のみの凹凸部の存在により途中で内側に折れ曲がり、ブランクシートで覆われているカップ状容器は小さく押し潰されることを特徴とする。
【０００７】
請求項２に記載のカップ状容器は、上端の環状部と、下端の浅い受皿状の底部と、これら環状部と底部とを繋ぐ柱状部とからなる合成樹脂製の骨格部材と、骨格部材の上端の環状部と下端の底部との間の周囲を包むように骨格部材に装着されるブランクシートとにより作られてなり、柱状部は正面から見て中央部の上下両端の両側および中央両側において幅が狭い窪み部が形成されているカップ状容器であって、カップ状容器を上下から圧縮する方向に力を掛けることにより、骨格部材の柱状部は中央近傍部における幅が狭い窪み部の存在により途中で内側に折れ曲がり、ブランクシートで覆われているカップ状容器は小さく押し潰されることを特徴とする。
【０００８】
請求項３に記載のカップ状容器は、上端の環状部と、下端の浅い受皿状の底部と、これら環状部と底部とを繋ぐ柱状部とからなる合成樹脂製の骨格部材と、骨格部材の上端の環状部と下端の底部との間の周囲を包むように骨格部材に装着されるブランクシートとにより作られてなり、柱状部は上下方向の中央近傍部において上下方向に数ｃｍ程度の長さ範囲で厚みの薄い部分を１乃至複数箇所備えているカップ状容器であって、カップ状容器を上下から圧縮する方向に力を掛けることにより、骨格部材の柱状部は厚みの薄い部分の存在により途中で内側に折れ曲がり、ブランクシートで覆われているカップ状容器は小さく押し潰されることを特徴とする。
【発明の効果】
【００１０】
以上のように、本発明のカップ状容器は、廃棄処理する際、カップ状容器を上下から圧縮する方向に力を掛けることにより骨格部材の柱状部は凹凸部の存在もしくは幅が狭く形成されている部分の存在もしくは厚みの薄い部分の存在により途中で折れ曲り、ブランクシートで覆われているカップ状容器は小さく押し潰されることになる。
【発明を実施するための最良の形態】
【００１１】
以下、本発明の実施の形態を、図面に基づき具体的に説明する。
先ず、図１〜図６に示す第１の実施の形態について説明すると、１は上端の円形の環状部２と、下端の浅い受皿状の円形の底部３と、これら環状部２と底部３とを繋ぐ左右の柱状部４とからなり、前記各柱状部４の内面には上下方向の中央近傍部において数ｃｍ程度の長さ範囲で上下方向に等間隔ピッチ、具体的には数ｍｍピッチおきに凹凸部５が柱状部の幅方向全長に形成されている骨格部材である。この骨格部材１はポリプロピレン、ポリエチレン、ナイロン、ポリエステルなどの合成樹脂材料によって構成され、使用する材料によって厚みを変えて所望の硬さに成形することが可能である。
【００１２】
６は前記骨格部材１の周囲を包むように骨格部材１に装着される柔軟性のあるブランクシートで、このブランクシート６は全体が前記骨格部材１を構成する材料と同系の合成樹脂材料によって構成されていても良く、あるいは少なくとも内面が骨格部材１を構成する材料と同種の合成樹脂材料によって構成されていても良い。このブランクシート６は前記骨格部材１の底部３の裏面の形状に合った円形のシート部分６ａと、このシート部分６ａの両側に幅の狭い繋がり部６ｂ，６ｂで繋がり前記骨格部材１の環状部２と底部３と左右の柱状部４とで囲まれる開口部を隠すための扇形に近いシート部分６ｃ，６ｃとを備えている。そして、このブランクシート６のシート部分６ａを前記骨格部材１の底部３の裏面に熱溶着により接合させるとともに、シート部分６ｃ，６ｃの周囲、詳しくは下端を前記底部３の周囲の立ち上がり部３ａ外面に、上端を前記環状部２の周囲の下端外面に、両側を前記左右の柱状部４外面にそれぞれ熱溶着により接合させることにより骨格部材１の周囲を包むごとく環状部２と底部３と左右の柱状部４とで囲まれる開口部が隠され、カップ状容器７が形成されることになる。
【００１３】
ところで、このカップ状容器７の成形に当たって、コアとキャビティからなる金型が使用され、コアの先端部にブランクシート６のシート部分６ａを当てて吸引した状態でコアをキャビティに嵌入させ、コアとキャビティとの間に樹脂を注入させることにより前述のような骨格部材１にブランクシート６が熱溶着されてなるカップ状容器７が成形される。
【００１４】
なお、カップ状容器７にはジュースなどの飲料用液体あるいは菓子類などが収納され、かかる状態で骨格部材１の環状部２の上端に蓋体が指で剥離可能に接合される。
さらに、カップ状容器７に収納される内容物によってはカップ状容器７にバリヤー性を持たせることも可能である。
【００１５】
以上、図面に示す実施の形態のカップ状容器７について説明したが、飲料用液体を収納したカップ状容器７から蓋体を剥がさずに取り出すために、環状部２の周囲の一部に飲み口を一体に設けるようにすることも可能である。
【００１６】
上記構成において、カップ状容器７内の内容物が取り出されてなくなった後、不要となったカップ状容器７を廃棄する場合、カップ状容器７を上下から圧縮する方向に力を掛けることにより骨格部材１の左右の柱状部４は中央部の凹凸部５の存在により途中で内側に折れ曲り、ブランクシート６で覆われているカップ状容器７は小さく押し潰されることになる。
【００１７】
次に、図７〜図９に示す第２の実施の形態について説明すると、前記第１の実施の形態では不要となったカップ状容器７を廃棄するのにカップ状容器７を押し潰すために骨格部材１の左右の柱状部４の中央部に凹凸部５が形成されているが、この凹凸部５の代わりに左右の各柱状部４を正面から見て中央近傍部、詳しくは中央部の上下両端両側および中央両側において幅が狭い窪み部８を形成することによっても、カップ状容器７を上下から圧縮する方向に力を掛けることにより幅が狭い何れかの窪み部８の位置で左右の柱状部４は内側に折れ曲り、カップ状容器７は小さく押し潰されることになる。他の構成は第１の実施の形態と同様である。なお、この第２の実施の形態の柱状部４に窪み部８を形成する構成と第１の実施の形態の柱状部４に凹凸部５を形成する構成を組み合わせるとカップ状容器７を小さく押し潰す作業がより一層行ないやすくなる。
【００１８】
以上、カップ状容器７の骨格部材１を小さく押し潰すために柱状部４に凹凸部５を形成したり、柱状部４に幅が狭い窪み部８を形成してあるが、これらの代わりに柱状部には柱状部の幅方向全長に厚みの薄い部分を１乃至複数箇所備えることによっても同様の機能を果すことができる。
【００１９】
ところで、以上述べた実施の形態において、ブランクシート６の円形のシート部分６ａを骨格部材１の底部３の裏面に熱溶着により接合させているが、円形のシート部分６ａを骨格部材１の底部３の上面に接合させるようにしても良い。この場合、このブランクシート６は全体が前記骨格部材１を構成する材料と同系の合成樹脂材料によって構成されていても良く、あるいは少なくとも内面および外面が骨格部材１を構成する材料と同系の合成樹脂材料によって構成されていれば良い。つまり、骨格部材１に対するブランクシート６の接合面が骨格部材１と同系の合成樹脂材料で作られていれば良い。さらに、ブランクシート６の材料は紙であっても良い。
【００２０】
次に、図１０に基づきブランクシート６の変形例を示す第３の実施の形態について説明すると、前記第１および第２の実施の形態におけるブランクシート６は前記骨格部材１の底部３の形状に合った円形のシート部分６ａと、このシート部分６ａの両側に幅の狭い繋がり部６ｂ，６ｂで繋がり前記骨格部材１の環状部２と底部３と左右の柱状部４とで囲まれる開口部を隠すための扇形に近いシート部分６ｃ，６ｃとを備えているが、骨格部材１の底部３の形状に合った円形のシート部分を無くし、骨格部材１の環状部２と下端の底部３との間の周囲全体を包む１枚のブランクシート６Ａを用いるようにしても良い。
【００２１】
次に、図１１に基づき骨格部材１の変形例を示す第４の実施の形態について説明すると、環状部２と底部３とを繋ぎ上下方向の中央部に等ピッチおきに凹凸部５が形成されている左右の柱状部４において一方の柱状部４の凸部５ａとこの凸部５ａと同高さ位置に位置する他方の柱状部４の凸部５ａとをカップ状容器の内周に沿うように円弧状を呈する細い繋ぎ部５ｂで一体に繋ぎ補強するようにしても良い。図面に示す実施の形態では柱状部４の上下方向の中央部の凹凸部５の上下両端部に位置する凸部５ａならびに中間部に位置する凸部５ａの部分で繋ぎ部５ｂで一体に繋いでいるが、全ての凸部５ａの部分で繋ぎ部５ｂで繋ぐようにしても良い。さらに、図面に示す実施の形態のように左右の柱状部４の前記凹凸部５の存在しない位置、つまり凹凸部５の上側および下側において一方の柱状部４と他方の柱状部４との間を円弧状を呈する板状の繋ぎ部５ｃで一体に繋ぎ補強するようにしても良い。
【００２２】
また、骨格部材１を骨として形成されるカップ状容器７の形状は図面に示す実施の形態のような平面形状ならびに底面形状が円形でなくても良く、四角や六角などの角形あるいは楕円であっても良い。
【００２３】
さらに、前記柱状部４は２本に限定されるものではない。
【図面の簡単な説明】
【００２４】
【図１】本発明の第１の実施の形態におけるカップ状容器の骨格部材の斜視図である。
【図２】同骨格部材の断面図である。
【図３】同骨格部材に装着されるブランクシートの平面図である。
【図４】同骨格部材にブランクシートを装着して作られたカップ状容器の斜視図である。
【図５】同骨格部材にブランクシートを装着して作られたカップ状容器の断面図である。
【図６】同カップ状容器を押し潰した状態を示す斜視図である。
【図７】本発明の第２の実施の形態におけるカップ状容器の骨格部材の斜視図である。
【図８】同骨格部材にブランクシートを装着して作られたカップ状容器の斜視図である。
【図９】同カップ状容器を押し潰した状態を示す斜視図である。
【図１０】本発明の第３の実施の形態におけるブランクシート６の変形例を示す展開図である。
【図１１】本発明の第４の実施の形態における骨格部材の要部拡大斜視図である。
【符号の説明】
【００２５】
１            骨格部材
２            環状部
３            底部
３ａ          立ち上がり部
４            柱状部
５            凹凸部
５ａ          凸部
５ｂ，５ｃ    繋ぎ部
６，６Ａ      ブランクシート
６ａ          シート部分
６ｂ          繋がり部
６ｃ          シート部分
７            カップ状容器
８            窪み部
【図１】
0005137298.tif 000002
【図２】
0005137298.tif 000003
【図３】
0005137298.tif 000004
【図４】
0005137298.tif 000005
【図５】
0005137298.tif 000006
【図６】
0005137298.tif 000007
【図７】
0005137298.tif 000008
【図８】
0005137298.tif 000009
【図９】
0005137298.tif 000010
【図１０】
0005137298.tif 000011
【図１１】
0005137298.tif 000012